(57)【要約】【課題】結合画像の印字が終了した後も、改めてユーザが受信画像を等倍で印字出力させることのできる画像受信装置を提供する。【解決手段】受信画像を蓄積する画像メモリ１３と、記録紙の残量が所定量より少なくなったことを判別する判別手段１０と、受信画像の複数頁を縮小して結合した結合画像を生成する結合画像生成手段１８と、印字制御手段１０とを備え、印字制御手段１０は、判別手段が記録紙の残量が所定量より少なくなったことを判別したときには、該受信画像から結合画像を生成して記録紙に印字出力し、かつ該受信画像を画像メモリ１３から消去せずに保存する。【選択図】図１
2006222753.tif 000002
【特許請求の範囲】
【請求項１】
受信画像を蓄積する画像メモリと、
記録紙の残量が所定量より少なくなったことを判別する判別手段と、受信画像の複数頁を縮小して結合した結合画像を生成する結合画像生成手段と、印字制御手段とを備え、
上記印字制御手段は、
上記判別手段が記録紙の残量が所定量より少なくなったことを判別したときには、該受信画像から上記結合画像を生成して上記記録紙に印字出力し、かつ該受信画像を上記画像メモリから消去せずに保存することを特徴とする画像受信装置。
【請求項２】
請求項１において、
上記印字制御手段は、
所定の印字指令を受け付けると、上記結合画像として印字出力され、かつ上記画像メモリに保存されている受信画像を上記記録紙に等倍で印字出力してから、消去することを特徴とする画像受信装置。
【請求項３】
請求項１において、
上記印字制御手段は、
所定の印字指令を受け付けないときには、上記結合画像として印字出力され、かつ上記画像メモリに保存されている受信画像を、所定時間の経過後に消去することを特徴とする画像受信装置。
【発明の詳細な説明】
【技術分野】
【０００１】
本発明は、画像受信し、そのときの記録紙残量が受信画像の全ページを印字出力できない程度の場合、受信画像の複数頁を縮小して結合した結合画像を生成し印字出力する構成の画像受信装置に関する。
【背景技術】
【０００２】
従来より、画像受信したとき、予めセットされている記録紙の残量が受信画像全ページを印字出力できない程度の場合には受信画像の複数頁を縮小して結合した結合画像を形成し、印字出力することにより、記録紙残量が少ない場合でも、記録紙を切らすことなく受信画像を印字出力することができるようにしている。
【特許文献１】特開２０００−３４１４９３号
【発明の開示】
【発明が解決しようとする課題】
【０００３】
しかしながら、上記従来の装置によれば、画像メモリに蓄積した受信画像から結合画像を形成して印字出力した後には、画像メモリ内の受信画像を消去する構成であるため、結合画像の印字が終了後、改めてユーザが記録紙を補充して通常条件（等倍）で受信画像を印字出力させたいと思っても、その印字出力ができないという問題があった。
【０００４】
本発明は、このような問題を解決するために提案され、結合画像の印字が終了した後も、改めてユーザが受信画像を等倍で印字出力させることのできる画像受信装置を提供することを目的とする。
【課題を解決するための手段】
【０００５】
上記目的を達成するために、本発明の請求項１では、受信画像を蓄積する画像メモリと、記録紙の残量が所定量より少なくなったことを判別する判別手段と、受信画像の複数頁を縮小して結合した結合画像を生成する結合画像生成手段と、印字制御手段とを備え、印字制御手段は、判別手段が記録紙の残量が所定量より少なくなったことを判別したときには、該受信画像から結合画像を生成して記録紙に印字出力し、かつ該受信画像を画像メモリから消去せずに保存することを特徴とする。
【０００６】
請求項２では、印字制御手段は、所定の印字指令を受け付けると、結合画像として印字出力され、かつ上記画像メモリに保存されている受信画像を記録紙に等倍で印字出力してから、消去することを特徴とする。
【０００７】
請求項３では、印字制御手段は、所定の印字指令を受け付けないときには、結合画像として印字出力され、かつ画像メモリに保存されている受信画像を、所定時間の経過後に消去することを特徴とする。
【発明の効果】
【０００８】
請求項１によれば、画像受信した後、記録紙残量が所定量よりも少ない場合には、受信画像の複数頁を縮小して結合した結合画像を生成して印字出力するので、記録紙残量が少ない場合でも、記録紙を切らすことなく受信画像を印字出力できることに加え、結合画像の印字が終了後、ユーザが改めて十分な枚数の記録紙を補充した後には、ユーザによる印字出力指示により、別画像メモリに記憶させておいた受信画像を等倍で印字出力させることができる。
【０００９】
請求項２によれば、結合画像として印字出力され、かつ画像メモリに保存されている受信画像を記録紙に等倍で印字出力してから、消去できる。また、請求項３によれば、該受信画像は、印字指令を受け付けないときには、所定時間の経過後に消去するので、次に記録紙の残量が少ないことが生じうる場合に備えることができる。
【発明を実施するための最良の形態】
【００１０】
以下に、本発明の実施の形態について説明する。なお、本実施の形態によれば、画像受信装置としてファクシミリ装置を例示している。
【実施例１】
【００１１】
図１は、本発明の画像受信装置の要部構成の一例を示すブロック図である。この画像受信装置１は、判別手段と印字制御手段とを構成する信号処理部１０と、電話回線Ｌに対する接続制御を行うＮＣＵ１１と、ファクシミリ通信に必要な各種信号の変復調を行うモデム１２と、受信画像を一時蓄積するものであって、後述する画像メモリ２（１３Ａ）を有する画像メモリ１（１３）と、後述する結合画像生成テーブルＴ（図２参照）を有するＲＡＭ１４と、各種プログラムなどを格納するＲＯＭ１５と、表示部１６と、操作部１７と、受信画像の複数頁を縮小して結合した結合画像を生成する結合画像生成部１８と、印字出力部１９とを備える。ここに、画像メモリ２（１３Ａ）は例えばコンパクトフラッシュ（登録商標）メモリで構成でき、画像メモリ１（１３）とは独立、もしくは、その内部に設けられている。
【００１２】
結合画像生成テーブルＴには、受信画像枚数に応じた結合設定が登録されるようになっており、ここでは、受信枚数が３枚以上のときは４ｉｎ１設定とし、受信枚数が２枚のときには２ｉｎ１設定とするようにしている。なお、Ｎｉｎ１設定とは、Ｎ枚の受信画像を縮小し、これらを一枚の記録紙上に結合した結合画像を生成することをいう。
【００１３】
このような構成の画像受信装置１は、受信画像の枚数を、信号処理部１によるそれぞれのエンドページの検出によりカウントする。また、信号処理部１は、記録紙残量が受信画像全てを印字出力できる程度存在するかチェックしている。ここに、記録紙残量の検出は、印字出力部１９に記録紙残量検出センサ（不図示）を設けることで行え、この場合、信号処理部１０が、センサ出力信号に基づいて、予め定めたしきい値と比較して、後述するような、結合画像生成処理を行うか通常処理を行うかを決定する。
【００１４】
ここで、通常処理とは、受信画像を等倍にて記録紙に印字出力することをいう。
【００１５】
このような構成の画像受信装置１は、図３に示すフローチャートに従って、本発明の特徴的な作用をなす（１００〜１０８）。
【００１６】
すなわち、画像受信が完了し、画像メモリ１（１３）内に蓄積すると、信号処理部１０によって、記録紙残量が受信画像を全て印字出力できる程度に存在するかを判定する。例えば、記録紙残量が一定のしきい値を下回っているかに基づいて判定できる。信号処理部１０は、下回っていると判定すれば、以下の処理を行う。
【００１７】
つまり、信号処理部１０は、画像メモリ１（１３）内の受信画像を別画像メモリ２（１３Ａ）に移動させる。ついで、信号処理部１０によってカウントした受信画像枚数により、結合画像生成テーブルＴを参照して、結合画像生成部１８に対して、結合画像生成設定を通知する。
【００１８】
ここでは、受信画像枚数が３枚以上であれば４ｉｎ１設定を、受信画像枚数が２枚であれば２ｉｎ１設定を、１枚であれば等倍設定の旨を結合画像生成部１８に通知する。
【００１９】
そして、結合画像生成部１８は、信号処理部１０からの結合画像生成設定に基づき、受信画像の複数頁を縮小して結合した結合画像を生成する。このようにして生成された結合画像は、信号処理部１０の指示によって印字出力部１９より印字出力される。
【００２０】
一方、信号処理部１０による判別の結果、記録紙残量が、受信画像全頁を十分に印字出力できるとした場合には、受信画像は画像メモリ１（１３）から読み出され、等倍で印字出力された後、画像メモリ１（１３）より消去される。
【００２１】
そして、移動させた受信画像の取り扱いは以下のようになる。これを図４のフローとともに説明する（２００〜２０４）。
【００２２】
すなわち、信号処理部１０は、上記した結合画像の印字出力が終了してから所定時間の計測を開始する。そして、所定時間計測終了するまでの間に、記録紙が補充され、印字出力指示操作がされたときには、画像メモリ２（１３Ａ）から受信画像を読み出し、等倍で印字出力後、その受信画像を画像メモリ２（１３Ａ）から消去する。
【００２３】
一方、所定時間計測終了するまでに印字出力指示操作がされなかったときには、画像メモリ２（１３Ａ）にある受信画像を消去する。
【図面の簡単な説明】
【００２４】
【図１】本発明の画像受信装置の要部構成の一例を示すブロック図である。
【図２】結合画像生成テーブルの一例を示す図である。
【図３】画像受信装置の結合画像生成処理について説明するフローチャートである。
【図４】結合画像として印字出力され、かつ、画像メモリに保存されている受信画像の取り扱いについて説明するフローチャートである。
【符号の説明】
【００２５】
１  画像受信装置
１０  信号処理部
１３  画像メモリ１
１３Ａ  画像メモリ２
１８  結合画像生成部
【図１】
2006222753.tif 000003
【図２】
2006222753.tif 000004
【図３】
2006222753.tif 000005
【図４】
2006222753.tif 000006